(57)【特許請求の範囲】
【請求項１】
洗濯機筺体と、前記洗濯機筐体前方に開口部を形成した回転ドラムと、前記回転ドラムを回転自在に内包する水槽と、前記回転ドラムを回転駆動するモータと、複数の水路が開閉可能な複数弁構成の給水弁と、前記水槽の前部に設けた水槽開口端部の内周側に形成した円状の水槽開口部と、前記水槽の前部内周側に設けられ前記洗濯機筐体の前後方向に湾曲する湾曲部を形成した環状ガイド板と、前記水槽の前部外周上部側に周方向横長に形成した略矩形状の取水開口部と、前記取水開口部に装着されたノズルとを備え、前記ノズルは、前記給水弁の一つの水路と連通し、前記水槽の周方向に横長略矩形状の噴射口を有する噴射口部を形成するとともに、前記噴射口部内面には、前記洗濯機筐体の左右方向に湾曲する曲面部を形成し、前記給水弁から給水された水が、前記曲面部、および前記湾曲部に沿って通水され、前記回転ドラム内に噴射されるドラム式洗濯機。
【発明の詳細な説明】
【技術分野】
【０００１】
本発明は、水槽内に回転自在に配設した回転ドラム内で洗濯物を洗い、すすぎ、脱水するドラム式洗濯機に関するものである。
【背景技術】
【０００２】
従来、この種のドラム式洗濯機では、すすぎ行程において、洗濯水を循環させて回転ドラム内の洗濯物に注水し、すすぎ性能向上と、使用水を節約する構成が提案されてきた（例えば、特許文献１参照）。
【０００３】
図４は、特許文献１に記載された従来のドラム式洗濯機の縦断面図、図５は、同洗濯機の水受け槽本体の斜視図、図６は、同洗濯機の水受け槽カバーの斜視図を示す。
【０００４】
図４、図５、図６において、本体１内には、有底円筒状で、後部の水受け槽本体２と前部の水受け槽カバー３とで構成される水受け槽６が、サスペンション構造（図示せず）によって背面側に向かって下向きに傾斜した状態で支持されており、水受け槽６内には、回転ドラム５が回転自在に支持されている。また、回転ドラム５は、水受け槽６外底部に設けられた駆動モータ７によって回転駆動される。
【０００５】
水受け槽本体２は、水受け槽本体開口部２ａ、水受け槽本体胴部２ｂおよび水受け槽本体底部２ｃを有しており、水受け槽本体胴部２ｂと水受け槽本体底部２ｃ境界部の近傍であって水受け槽本体底部２ｃ内面には、略凹状に形成された水受け槽本体底溝部２ｄを、水受け槽本体胴部２ｂと略同心円の円弧状に設けている。水受け槽本体底溝部２ｄには、内面側より水受け槽本体底溝部２ｄに対応した形状の水受け槽本体溝蓋２３が固定されており、この水受け槽本体底溝部２ｄと水受け槽本体溝蓋２３により第１の循環水路２２が形成されている。
【０００６】
第１の循環水路２２の一端である取水口２０は、底面が水受け槽本体底溝部２ｄの底面から水受け槽本体底部２ｃの内面まで徐々に変化する案内凹部２１に連通している。また、水受け槽本体２には、その水受け槽本体胴部２ｂの外側に、水受け槽本体開口部２ａから水受け槽本体底部２ｃまで連通するパイプ状の第２の循環水路２６が、第１の循環水路２２と連通して、一体に形成されている。
【０００７】
そして、第２の循環水路２６には第３の循環水路２７が接続され、第３の循環水路２７には、水受け槽カバー前面部３ｂ内面に略凹状に形成された水受け槽カバー前面溝部３ｅと水受け槽カバー溝蓋２９とにより形成された第４の循環水路２８が接続されており、水受け槽カバー溝蓋２９の先端部分近傍には、洗濯水を吐出するための吐出口３４が設けられている。
【０００８】
以上の構成にて、すすぎ行程時、駆動モータ７により洗濯物が回転ドラム５の内周面に遠心力で張りつく程度の回転速度（例えば８０ｒ／ｍ）で回転し、この回転により、洗濯水は回転ドラム５の外底部に設けたリブ（図示せず）のポンプ羽根の働きによりかき回され、水受け槽本体胴部２ｂ、水受け槽本体底部２ｃの境界近傍を回動し、案内凹部２１に導かれて取水口２０に取り込まれ、第１〜第４の循環水路２２，２６，２７，２８を通り、吐出口３４より回転ドラム内５に勢い良く吐出される。そして、この吐出水は、回転ドラム５の回転ごとに洗濯物にふりそそがれ、遠心力による洗濯水が洗濯物内を透過することにより、洗剤が除去されるいわゆるシャワーすすぎを行なう。
【先行技術文献】
【特許文献】
【０００９】
【特許文献１】特開２００７−１０５２１２号公報
【発明の概要】
【発明が解決しようとする課題】
【００１０】
しかしながら、前記従来の構成では、水受け槽内の洗濯水を循環させるために、水の節約にはなるが、洗濯物の量や質は様々であり、様々な全ての洗濯物が回転ドラムの内周面に遠心力で張りつく程度という回転速度を設定することは困難であり、吐出水をコントロールすることが難しいという品質上の課題があった。
【００１１】
また、吐出口を水受け槽前部の下側に設け、回転ドラム内面に対して上方に向けて吐出しているために、吐出水が洗濯物全体に当たり難く、性能がばらつきやすいという品質上の課題があった。
【００１２】
本発明は、前記従来の課題を解決するもので、洗濯物全体に注水して、洗浄性能、すすぎ性能のばらつきを抑えることを目的とする。
【課題を解決するための手段】
【００１３】
前記従来の課題を解決するために本発明のドラム式洗濯機は、洗濯機筺体と、前記洗濯機筐体前方に開口部を形成した回転ドラムと、前記回転ドラムを回転自在に内包する水槽と、前記回転ドラムを回転駆動するモータと、複数の水路が開閉可能な複数弁構成の給水弁と、前記水槽の前部に設けた水槽開口端部の内周側に形成した円状の水槽開口部と、前記水槽の前部内周側に設けられ前記洗濯機筐体の前後方向に湾曲する湾曲部を形成した環状ガイド板と、前記水槽の前部外周上部側に周方向横長に形成した略矩形状の取水開口部と、前記取水開口部に装着されたノズルとを備え、前記ノズルは、前記給水弁の一つの水路と連通し、前記水槽の周方向に横長略矩形状の噴射口を有する噴射口部を形成するとともに、前記噴射口部内面には、前記洗濯機筐体の左右方向に湾曲する曲面部を形成し、前記給水弁から給水された水が、前記曲面部、および前記湾曲部に沿って通水され、前記回転ドラム内に噴射されるようにしたものである。
【００１４】
これによって、水を、回転ドラム内の洗濯物全体に、上方から幅広く噴射することにより、洗浄性能、すすぎ性能のばらつきを抑え、性能を向上することができる。
【発明の効果】
【００１５】
本発明のドラム式洗濯機は、回転ドラム内の洗濯物全体に、上方から均等に水を噴射することにより、洗浄性能、すすぎ性能のばらつきを抑え、性能を向上することができる。
【図面の簡単な説明】
【００１６】
【図１】本発明の実施の形態に係るドラム式洗濯機の縦断面図
【図２】同ドラム式洗濯機の要部分解斜視図
【図３】同ドラム式洗濯機の要部横断面図
【図４】従来のドラム式洗濯機の縦断面図
【図５】同ドラム式洗濯機の水受け槽本体の斜視図
【図６】同ドラム式洗濯機の水受け槽カバーの斜視図
【発明を実施するための形態】
【００１７】
第１の発明は、洗濯機筺体と、前記洗濯機筐体前方に開口部を形成した回転ドラムと、前記回転ドラムを回転自在に内包する水槽と、前記回転ドラムを回転駆動するモータと、複数の水路が開閉可能な複数弁構成の給水弁と、前記水槽の前部に設けた水槽開口端部の内周側に形成した円状の水槽開口部と、前記水槽の前部内周側に設けられ前記洗濯機筐体の前後方向に湾曲する湾曲部を形成した環状ガイド板と、前記水槽の前部外周上部側に周方向横長に形成した略矩形状の取水開口部と、前記取水開口部に装着されたノズルとを備え、前記ノズルは、前記給水弁の一つの水路と連通し、前記水槽の周方向に横長略矩形状の噴射口を有する噴射口部を形成するとともに、前記噴射口部内面には、前記洗濯機筐体の左右方向に湾曲する曲面部を形成し、前記給水弁から給水された水が、前記曲面部、および前記湾曲部に沿って通水され、前記回転ドラム内に噴射されることにより、水を、回転ドラム内の洗濯物全体に、上方から幅広く噴射することにより、洗浄性能、すすぎ性能のばらつきを抑え、性能を向上することができる。
【００１８】
以下、本発明の実施の形態について、図面を参照しながら説明する。なお、この実施の形態によって本発明が限定されるものではない。
【００１９】
（実施の形態１）
図１は、本発明の実施の形態におけるドラム式洗濯機の縦断面図を示すものである。
【００２０】
図１に示すように、洗濯機筺体６１の内部に揺動自在に水槽６２が配設され、前記水槽６２内には、回転ドラム６３が回転自在に配設され、回転ドラム６３は、水槽６２の背面に外側より取り付けられたモータ６４により回転駆動される。
【００２１】
また、本発明のドラム式洗濯機は、モード設定や制御プログラムに従い、図１に示すモータ６４、給水系６５、排水系６６、乾燥系（図示せず）などを自動制御して少なくとも洗い行程、すすぎ行程、脱水行程、乾燥行程を行う機能を有したいわゆるドラム式洗濯機を構成している。しかし、乾燥系は省略することができる。
【００２２】
給水系６５は、２個以上の水路が開閉可能な複数弁構成の給水弁６７を設けており、一つの水路は、その開閉によって給水ホース７３を介して、実線矢印Ａで示すように水槽６２内部に適時に給水でき、また給水を利用して洗剤収容部７７の洗剤を洗濯水と共に水槽６２内に適時に投入できるようになっている。また、一つの水路は  ノズルホース７４を介して、実線矢印Ｄで示すように、水槽６２前部から回転ドラム６３内部に注水される。このノズルホース７４を介しての注水については、後述する。
【００２３】
排水系６６は、排水弁６８の開閉によって洗い行程終了時、すすぎ行程終了時など必要なときに一点鎖線矢印Ｂで示すように、水槽６２の下部に接続された排水管６９を介し、糸屑類を捕集し外部から取り外し可能の排水フィルタ７０を通過した後、機外に排水できるようになっている。
【００２４】
回転ドラム６３は、略水平方向または水平方向から下向きに傾斜となるように配した回転軸７１により水槽６２の外底部に固着したモータ６４に直結され、回転駆動する事により、前方の扉７２部より回転ドラム６３に投入された衣類の撹拌たたき洗いを行う。
【００２５】
水槽６２前部内周側には、裏面側に湾曲部７５を形成した環状ガイド板８３が配設されており、また、水槽６２前部外周上部側には、円周方向に横長の略矩形状の取水開口部７８が開口され、その取水開口部７８にはシャワーノズル（ノズル）７９が装着され、外方側に前記ノズルホース７４が接続されている。そして、給水弁６７からノズルホース７４を介して通水された水は、湾曲部７５に沿って、回転ドラム６３前部のドラム開口部９５に対して上方より噴射される。このシャワーノズル７９取り付け部近傍については、図２以降で詳述する。
【００２６】
なお、この環状ガイド板８３は、噴射された水を所定の方向、形状に導くガイドの役目と同時に、水槽６２の前部内周側に設けてあるため、回転する回転ドラム６３内の衣類が飛び出してきた時に衣類や、水槽６２前部に設けた水槽開口端部９３に形成した円状の水槽開口部９２などを保護する役目をしており、この環状ガイド板８３に衣類が接触すると、回転摩擦熱により、環状ガイド板８３表面が損傷し、それにより衣類も損傷する恐れもあることから、衣類損傷防止のために、環状ガイド板８３は、融点が高く耐熱性に優れていると共に、成形性にも優れているＳＰＳ樹脂（シンジオタックポリスチレン樹脂）で形成されている。
【００２７】
また、扉７２は、洗濯機筺体６１前面部の筺体開口部（図示せず）と水槽６２前部の水槽開口端部９３に形成したフランジ８４との間を連結した防振と水封の役目をする防振ゴム８５を介して密閉し、また開くことができるようにしている。
【００２８】
運転コース等のモードや各種機能の選択は、洗濯機筺体６１の前面上部に設けられる操作パネル８６から入力して行い、制御手段８７がその入力情報を基に操作パネル８６上の表示手段（図示せず）で表示して使用者に知らせるとともに、操作パネル８６での入力設定手段（図示せず）により運転開始が設定されると、水槽６２内の水位を検知する水位検知手段（図示せず）等からのデータを入力して、モータ６４、排水弁６８、給水弁６７などの動作を制御し、洗い、すすぎ、脱水、乾燥行程などの運転を行う。
【００２９】
図２は、シャワーノズル取り付け部の要部分解斜視図、図３は、要部横断面図を示すものである。
【００３０】
図２において、シャワーノズル７９は、内側（水槽６２側）に形成したガイドリブ部８０をガイドにして、水槽６２前部外周上部側に形成した取水開口部７８に装着することができ、装着後はねじ８１ａ、８１ｂで固定し、シール材８２で水封される。
【００３１】
シャワーノズル７９の外側（反水槽６２側）には、ノズルホース７４を接続するパイプ部８８が形成され、内側のガイドリブ中央部８９に形成した、水槽６２円周方向に対して横長の噴射口９０を有する噴射口部９１と連通している。
【００３２】
図３は、シャワーノズル取り付け部を水槽６２の底面側から見た要部横断面図であるが、図３において、シャワーノズル７９に形成した噴射口部９１内面には、パイプ部８８の内径部面と連続する円弧状の曲面部９４が形成されている。
【００３３】
給水弁６７から、ノズルホース７４を介してシャワーノズル７９に通水された水は、この曲面部９４に沿って整流されるとともに、噴射口９０が、水槽６２の円周方向に横長であるために、取水開口部７８の内周側に形成された開口凹部９６、および開口凹部９６と連続する面である環状ガイド板８３裏面側の湾曲部７５に沿って、上方から回転ドラム６３前部のドラム開口部９５に対して、幅広く噴射される。
【００３４】
以上のように構成されたドラム式洗濯機について、以下その動作、作用を説明する。
【００３５】
洗い行程において、給水弁６７から、給水ホース７３、洗剤収容部７７を介して、洗剤と洗濯水が水槽６２内に投入され、回転ドラム６３が洗濯物と共に所定時間回転し、洗い動作を行なった後、給水弁６７の他方の弁が開き、ノズルホース７４を介してシャワーノズル７９の噴射口９０から、回転する回転ドラム６３内の洗濯物に噴射されて、さらに洗剤が洗濯物に浸透しやすくなり、洗い動作が進んでいく。
【００３６】
また、すすぎ行程においては、給水弁６７から、給水ホース７３を介して水槽６２内に給水されて、回転ドラム６３が洗濯物と共に所定時間回転し、すすぎ動作が始まった後、洗い行程と同様に、給水弁６７の他方の弁が開き、ノズルホース７４を介してシャワーノズル７９の噴射口９０から、回転する回転ドラム６３内の洗濯物に噴射され、洗濯物から洗剤分が除去されて、すすぎ動作が進んでいく。
【００３７】
この時、前述のように、給水弁６７からノズルホース７４を介して通水された水は、湾曲部７５に沿って、回転ドラム６３前部のドラム開口部９５に対して上方より噴射され、湾曲部７５によって、水が、洗濯物が多く片寄って位置する回転ドラム６３の最下点近傍を中心に回転ドラム６３の側壁の底部寄りから回転ドラム６３の背壁の下方寄りに水が噴射され、すなわち洗濯機筐体６１の前後方向に水が噴射され、洗濯物全体に幅広く水が噴射されることとなる。
【００３８】
さらには、噴射口９０は水槽６２の円周方向に、つまり回転ドラム６３の円周方向に横長であるために、回転ドラム６３のドラム開口部９５に対して、上方から幅広く噴射されて、洗濯物全体に水が浸透していくこととなる。
【００３９】
以上のように本実施の形態においては、水槽の前部外周上部側に形成した取水開口部に装着したシャワーノズル、および、水槽の前部内周側に形成した水槽開口部を覆う環状ガイド板の形状により、給水弁からの水を、洗濯機筐体の前後方向および左右方向に幅広く噴射させることができ、回転ドラム内の洗濯物全体に、上方から幅広く噴射することができるため、洗浄性能、すすぎ性能のばらつきを抑え、性能を向上することができる。
【産業上の利用可能性】
【００４０】
以上のように、本発明にかかるドラム式洗濯乾燥機は、シャワーノズルの形状により、洗濯物全体に幅広く水を噴射して、洗い性能、すすぎ性能のばらつきを抑え、性能向上が可能となるので、その他の洗濯機等の用途に適用できる。
【符号の説明】
【００４１】
６１  洗濯機筺体
６２  水槽
６３  回転ドラム
６４  モータ
６７  給水弁
７４  ノズルホース
７５  湾曲部
７８  取水開口部
７９  シャワーノズル（ノズル）
８３  環状ガイド板
８８  パイプ部
９０  噴射口
９１  噴射口部
９２  水槽開口部
９３  水槽開口端部
９４  曲面部
９５  ドラム開口部
【図１】
0005447333.tif 000002
【図２】
0005447333.tif 000003
【図３】
0005447333.tif 000004
【図４】
0005447333.tif 000005
【図５】
0005447333.tif 000006
【図６】
0005447333.tif 000007